【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
第１のタイプの符号化をサポートしている第１の電子装置と第２の電子装置との間で交換されるデータパケットであって、前記第１のタイプの符号化によって符号化されたデータパケットに対して、前記第２の電子装置が前記第１のタイプの符号化をサポートしている場合、ヘッダ削減コンポーネントを用いて、ヘッダの削減と拡張とをそれぞれ行うステップと、
前記第２の電子装置が第２のタイプの符号化をサポートしている場合、前記ヘッダ削減コンポーネントを変更して、前記第２のタイプの符号化によって符号化されたデータパケットであって、前記第２の電子装置から発信し、前記第１の電子装置に宛てたデータパケトを、前記第１のタイプの符号化によって符号化されたデータパケットに変換し、前記第１のタイプの符号化によって符号化されたデータパケットであって、前記第１の電子装置から発信し、前記第２の電子装置に宛てたデータパケットを、前記第２のタイプの符号化によって符号化されたデータパケットに変換するステップと、を具備する方法。
【請求項２】
前記ヘッダの削減が、ヘッダの除去とヘッダの圧縮とのうちの一方を具備し、前記ヘッダの拡張が、ヘッダの追加とヘッダの解凍とのうちの一方を具備する請求項１に記載の方法。
【請求項３】
前記ヘッダ削減コンポーネントが前記第１の電子装置の一部であり、
前記ヘッダの削減が、前記第１の電子装置により前記第１のタイプの符号化によって符号化され、前記第２の電子装置に宛てたデータパケットのヘッダの削減を含み、
前記ヘッダの拡張が、前記第１のタイプの符号化によって符号化され、前記第２の電子装置から発信され、前記第１の電子装置によって受信されるデータパケットのヘッダの拡張を含む、請求項１に記載の方法。
【請求項４】
前記第１の電子装置が、前記符号化データパケットの交換が行われるネットワークにアクセスし、
前記ヘッダ削減コンポーネントが前記ネットワークの一部であり、
前記ヘッダの削減が、前記第１のタイプの符号化によって符号化され、前記第２の電子装置から発信し、前記第１の電子装置へ宛てたデータパケットのヘッダの削減を含み、
前記ヘッダの拡張が、前記第１のタイプの符号化によって符号化され、前記第１の電子装置から発信し、前記第２の電子装置へ宛てたデータパケットのヘッダの拡張を含む請求項１に記載の方法。
【請求項５】
前記データパケットが音声データを含み、前記第１のタイプの符号化が可変レートマルチモード広帯域ＶＭＲ−ＷＢ音声符号化であり、前記第２のタイプの符号化が適応マルチレート広帯域ＡＭＲ−ＷＢ音声符号化である請求項１に記載の方法。
【請求項６】
ＡＭＲ−ＷＢ符号化データパケットをＶＭＲ−ＷＢ符号化データパケットに変換するステップは、
前記ＶＭＲ−ＷＢ符号化データパケットとしてフルレートのＶＭＲ−ＷＢフレームを使用する場合、対応するＶＭＲ−ＷＢヘッダフィールドを前記ＡＭＲ−ＷＢ符号化データパケットに追加するステップと、前記ＡＭＲ−ＷＢ符号化データパケットの長さに応じて、必要な長さのパディングビットを前記ＡＭＲ符号化データパケットに追加するステップと、
前記ＶＭＲ−ＷＢ符号化データパケットとしてハーフレートのＶＭＲ−ＷＢフレームを使用する場合、対応するＶＭＲ−ＷＢヘッダフィールドを前記ＡＭＲ−ＷＢ符号化データパケットに追加するステップと、前記ＡＭＲ−ＷＢ符号化データパケットの長さに応じて、必要な長さだけ前記ＡＭＲ−ＷＢ符号化データパケットを切り捨てるステップと、
前記ＶＭＲ−ＷＢ符号化データパケットとして４分の１レートのＶＭＲ−ＷＢフレームを使用する場合、対応するＶＭＲ−ＷＢヘッダフィールドとパディングビットとを前記ＡＭＲ−ＷＢ符号化データパケットに追加するステップと、を具備する請求項５に記載の方法。
【請求項７】
前記ヘッダの削減がヘッダ圧縮である場合、前記変換するステップが、前記符号化データパケットのペイロード内のヘッダ内のＡＭＲ−ＷＢ固有フィールドを前記符号化データパケットの前記ペイロード内のヘッダ内のＶＭＲ−ＷＢ固有フィールドに変換するステップをさらに具備する請求項６に記載の方法。
【請求項８】
ＶＭＲ−ＷＢ符号化データパケットをＡＭＲ−ＷＢ符号化データパケットに変換するステップは、
前記ＶＭＲ−ＷＢ符号化データパケットがフルレートのＶＭＲ−ＷＢフレームである場合、前記ＶＭＲ−ＷＢ符号化データパケットからＶＭＲ−ＷＢヘッダフィールドを除去するステップと、生成されるＡＭＲ−ＷＢ符号化データパケットの長さに対して必要な長さだけ、前記ＶＭＲ−ＷＢ符号化データパケットのペイロードを切り捨てるステップと、切り捨てられたビット数によってペイロード長の推定値を補償するステップと、
前記ＶＭＲ−ＷＢ符号化データパケットがハーフレートのＶＭＲ−ＷＢフレームである場合、前記ＶＭＲ−ＷＢ符号化データパケットからＶＭＲ−ＷＢヘッダフィールドを除去するステップと、前記生成されるＡＭＲ−ＷＢデータパケットの長さに対して必要な長さだけ、前記ＶＭＲ−ＷＢ符号化データパケットのペイロードの後ろにパディングビットを追加するステップと、追加ビット数によってペイロード長の推定値を補償するステップと、
前記ＶＭＲ−ＷＢ符号化データパケットが４分の１レートのＶＭＲ−ＷＢフレームである場合、ＶＭＲ−ＷＢヘッダフィールドを前記ＶＭＲデータパケットから除去するステップと、最後の１４パディングビットを前記ＶＭＲ−ＷＢ符号化データパケットのペイロードから除去するステップと、切り捨てられたビット数によってペイロード長の推定値を補償するステップと、を具備する請求項５に記載の方法。
【請求項９】
前記符号化データパケットのペイロード内のヘッダ内のＶＭＲ−ＷＢ固有フィールドを前記符号化データパケットのペイロード内のＡＭＲ−ＷＢ固有フィールドに変換するステップをさらに具備する請求項８に記載の方法。
【請求項１０】
前記ヘッダ削減コンポーネントによって行われる前記ヘッダの削減および前記ヘッダの拡張が、第３世代パートナープロジェクト２  ３ＧＰＰ２サービスオプションＳＯ６０と３ＧＰＰ２サービスオプションＳＯ６１とのうちの一方に基づくものであり、前記変更されたヘッダ削減コンポーネントによって行われる前記変換が、３ＧＰＰ２サービスオプションＳＯ６２に基づくものである請求項１に記載の方法。
【請求項１１】
前記ヘッダ削減コンポーネントによって行われる前記ヘッダの削減と、前記ヘッダの拡張とは、移動体通信用グローバルシステム用および広帯域符号分割多元接続方式用として規定されるロバストなヘッダ圧縮ＲＯＨＣである請求項１に記載の方法。
【請求項１２】
前記ヘッダ削減コンポーネントが、前記ヘッダの削減と、前記ヘッダの拡張と、前記変換とを実現するヘッダ削減アルゴリズムを具備する請求項１に記載の方法。
【請求項１３】
前記第１の電子装置と前記第２の電子装置とが、前記第２の電子装置がサポートしている符号化タイプを指示する少なくとも１つのシグナリングメッセージの交換を行う請求項１に記載の方法。
【請求項１４】
前記第１の電子装置側と、前記第１の電子装置がアクセスするネットワークのネットワークエレメントとのうちの少なくとも一方の側で前記指示を評価して、前記第２の電子装置がどのタイプの符号化をサポートしているかの判定を行うようにする請求項１３に記載の方法。
【請求項１５】
前記第１の電子装置が、インバイトメッセージを前記第２の電子装置へ伝送し、前記第１のタイプの符号化または前記第２のタイプの符号化のいずれかを用いてデータ交換に参加するように前記第２の電子装置に要請を行い、前記要請が受け付けられた旨のアクセプトメッセージであって、前記第２の電子装置がサポートしている符号化タイプの指示を含むアクセプトメッセージを前記第１の電子装置が前記第２の電子装置から受信する請求項１３に記載の方法。
【請求項１６】
データ交換に参加するように前記第１の電子装置に要請を行うインバイトメッセージであって、前記第２の電子装置がサポートしているタイプの符号化を指示するインバイトメッセージを前記第１の電子装置が前記第２の電子装置から受信する請求項１３に記載の方法。
【請求項１７】
セッション開始プロトコルＳＩＰシグナリングと、セッション記述プロトコルＳＤＰシグナリングとのうちの少なくとも一方を用いて、前記第２の電子装置がサポートしている符号化タイプを決定するようにする請求項１に記載の方法。
【請求項１８】
ヘッダ削減コンポーネントを具備する装置であって、
前記ヘッダ削減コンポーネントは、第１のタイプの符号化をサポートしている第１の電子装置と第２の電子装置との間で交換されるデータパケットであって、前記第１のタイプの符号化によって符号化されたデータパケットに対して、前記第２の電子装置が前記第１のタイプの符号化をサポートしている場合、ヘッダの削減と拡張とをそれぞれ行うように構成され、
前記ヘッダ削減コンポーネントは、前記第２の電子装置が第２のタイプの符号化をサポートしている場合、前記第２のタイプの符号化によって符号化されたデータパケットであって、前記第２の電子装置から発信し、前記第１の電子装置に宛てたデータパケットを、前記第１のタイプの符号化によって符号化されたデータパケットへ変換するように構成され、前記第１のタイプの符号化によって符号化されたデータパケットであって、前記第１の電子装置から発信し、前記第２の電子装置に宛てたデータパケットを、前記第２のタイプの符号化によって符号化されたデータパケットに変換するように構成された、装置。
【請求項１９】
前記第２の電子装置がサポートしている符号化タイプを決定するために、前記第１の電子装置と前記第２の電子装置との間で交換される信号メッセージを評価するように構成された評価コンポーネントをさらに具備する請求項１８に記載の装置。
【請求項２０】
ヘッダ削減コンポーネントを具備する電子装置であって、
前記ヘッダ削減コンポーネントは、第１のタイプの符号化をサポートしている電子装置と別の電子装置との間で交換されるデータパケットであって、前記第１のタイプの符号化によって符号化されたデータパケットに対して、前記別の電子装置が前記第１のタイプの符号化をサポートしている場合、ヘッダの削減と拡張とをそれぞれ行うように構成され、
前記別の電子装置が第２のタイプの符号化をサポートしている場合、前記ヘッダ削減コンポーネントは、前記第２のタイプの符号化によって符号化されたデータパケットであって、前記別の電子装置から発信し、前記電子装置に宛てたデータパケットを、前記第１のタイプの符号化によって符号化されたデータパケットに変換するように構成され、前記第１のタイプの符号化によって符号化されたデータパケットであって、前記電子装置から発信し、前記別の電子装置へ向けられるデータパケットを、前記第２のタイプの符号化によって符号化されたデータパケットに変換するように構成される電子装置。
【請求項２１】
ヘッダ削減コンポーネントを具備する、通信ネットワーク用ネットワークエレメントであって、
前記ヘッダ削減コンポーネントは、第１のタイプの符号化をサポートしている第１の電子装置と第２の電子装置との間で交換されるデータパケットであって、前記第１のタイプの符号化によって符号化されたデータパケットに対して、前記第２の電子装置が前記第１のタイプの符号化をサポートしている場合、ヘッダの削減と拡張とをそれぞれ行うように構成され、
前記ヘッダ削減コンポーネントは、前記第２の電子装置が第２のタイプの符号化をサポートしている場合、前記第２のタイプの符号化によって符号化されたデータパケットであって、前記第２の電子装置から発信し、前記第１の電子装置に宛てたデータパケットを、前記第１のタイプの符号化によって符号化されたデータパケットに変換するように構成され、前記第１のタイプの符号化によって符号化されたデータパケットであって、前記第１の電子装置から発信し、前記第２の電子装置に宛てたデータパケットを、前記第２のタイプの符号化によって符号化されたデータパケットに変換するように構成されるネットワークエレメント。
【請求項２２】
通信ネットワークと、
請求項１８に記載の装置と、
前記通信ネットワークにアクセスするように構成された前記第１の電子装置と、を具備する通信システム。
【請求項２３】
請求項２２に記載の通信システムであって、前記第２の電子装置がサポートしている符号化タイプを決定するために、前記第１の電子装置と前記第２の電子装置との間で交換される信号メッセージを評価するように構成された評価コンポーネントをさらに具備し、前記ヘッダ削減コンポーネントを評価に従って変更するように構成された通信システム。
【請求項２４】
ソフトウェアプログラムであって、処理コンポーネントによって実行されたとき、該処理コンポーネントが、
第１のタイプの符号化をサポートしている第１の電子装置と第２の電子装置との間で交換されるデータパケットであって、前記第１のタイプの符号化によって符号化されたデータパケットに対して、前記第２の電子装置が前記第１のタイプの符号化をサポートしている場合、ヘッダの削減と拡張とをそれぞれ行うステップと、
前記第２の電子装置が第２のタイプの符号化をサポートしている場合、前記第２のタイプの符号化によって符号化されたデータパケットであって、前記第２の電子装置から発信し、前記第１の電子装置に宛てたデータパケットを、前記第１のタイプの符号化によって符号化されたデータパケットに変換し、前記第１のタイプの符号化によって符号化されたデータパケットであって、前記第１の電子装置から発信し、前記第２の電子装置に宛てたデータパケットを、前記第２のタイプの符号化によって符号化されたデータパケットに変換するステップと、
を実行する、ソフトウェアプログラム。
【請求項２５】
請求項２４に記載のソフトウェアプログラムを記憶する記憶装置。
【請求項２６】
前記ヘッダの削減が、ヘッダの除去とヘッダの圧縮とのうちの一方を具備し、前記ヘッダの拡張が、ヘッダの追加とヘッダの解凍とのうちの一方を具備する請求項１８に記載の装置。
【請求項２７】
前記ヘッダ削減コンポーネントが前記第１の電子装置の一部であり、
前記ヘッダの削減が、前記第１の電子装置により前記第１のタイプの符号化によって符号化され、前記第２の電子装置に宛てたデータパケットのヘッダの削減を含み、
前記ヘッダの拡張が、前記第１のタイプの符号化によって符号化され、前記第２の電子装置から発信され、前記第１の電子装置によって受信されるデータパケットのヘッダの拡張を含む、請求項１８に記載の装置。
【請求項２８】
前記ヘッダ削減コンポーネントは、前記第１の電子装置がアクセスし、前記符号化データパケットの交換が行われるネットワークの一部であり、
前記ヘッダの削減が、前記第１のタイプの符号化によって符号化され、前記第２の電子装置から発信し、前記第１の電子装置へ宛てたデータパケットのヘッダの削減を含み、
前記ヘッダの拡張が、前記第１のタイプの符号化によって符号化され、前記第１の電子装置から発信し、前記第２の電子装置へ宛てたデータパケットのヘッダの拡張を含む、請求項１８に記載の装置。
【請求項２９】
前記データパケットが音声データを含み、前記第１のタイプの符号化が可変レートマルチモード広帯域ＶＭＲ−ＷＢ音声符号化であり、前記第２のタイプの符号化が適応マルチレート広帯域ＡＭＲ−ＷＢ音声符号化である請求項１８に記載の装置。
【請求項３０】
前記ヘッダ削減コンポーネントは、ＡＭＲ−ＷＢ符号化データパケットのＶＭＲ−ＷＢ符号化データパケットへの変換を実行するように構成され、該変換は、
前記ＶＭＲ−ＷＢ符号化データパケットとしてフルレートのＶＭＲ−ＷＢフレームを使用する場合、対応するＶＭＲ−ＷＢヘッダフィールドの前記ＡＭＲ−ＷＢ符号化データパケットへの追加と、前記ＡＭＲ−ＷＢ符号化データパケットの長さに応じた、必要な長さのパディングビットの前記ＡＭＲ符号化データパケットへの追加と、
前記ＶＭＲ−ＷＢ符号化データパケットとしてハーフレートのＶＭＲ−ＷＢフレームを使用する場合、対応するＶＭＲ−ＷＢヘッダフィールドの前記ＡＭＲ−ＷＢ符号化データパケットへの追加と、前記ＡＭＲ−ＷＢ符号化データパケットの長さに応じた、必要な長さの前記ＡＭＲ−ＷＢ符号化データパケットの切り捨てと、
前記ＶＭＲ−ＷＢ符号化データパケットとして４分の１レートのＶＭＲ−ＷＢフレームを使用する場合、対応するＶＭＲ−ＷＢヘッダフィールドとパディングビットとの前記ＡＭＲ−ＷＢ符号化データパケットへの追加と、
を含む、請求項２９に記載の装置。
【請求項３１】
前記ヘッダの削減がヘッダ圧縮である場合、前記変換が、前記符号化データパケットのペイロード内のヘッダ内のＡＭＲ−ＷＢ固有フィールドの、前記符号化データパケットの前記ペイロード内のヘッダ内のＶＭＲ−ＷＢ固有フィールドへの変換をさらに具備する請求項３０に記載の装置。
【請求項３２】
前記ヘッダ削減コンポーネントは、ＶＭＲ−ＷＢ符号化データパケットのＡＭＲ−ＷＢ符号化データパケットへの変換を実行するように構成され、該変換は、
前記ＶＭＲ−ＷＢ符号化データパケットがフルレートのＶＭＲ−ＷＢフレームである場合、前記ＶＭＲ−ＷＢ符号化データパケットからのＶＭＲ−ＷＢヘッダフィールドの除去と、生成されるＡＭＲ−ＷＢ符号化データパケットの長さに対して必要な長さの、前記ＶＭＲ−ＷＢ符号化データパケットのペイロードの切り捨てと、切り捨てられたビット数によるペイロード長の推定値の補償と、
前記ＶＭＲ−ＷＢ符号化データパケットがハーフレートのＶＭＲ−ＷＢフレームである場合、前記ＶＭＲ−ＷＢ符号化データパケットからのＶＭＲ−ＷＢヘッダフィールドの除去と、前記生成されるＡＭＲ−ＷＢデータパケットの長さに対して必要な長さの、前記ＶＭＲ−ＷＢ符号化データパケットのペイロードの後ろへのパディングビットの追加と、追加ビット数によるペイロード長の推定値の補償と、
前記ＶＭＲ−ＷＢ符号化データパケットが４分の１レートのＶＭＲ−ＷＢフレームである場合、ＶＭＲ−ＷＢヘッダフィールドの前記ＶＭＲデータパケットからの除去と、最後の１４パディングビットの前記ＶＭＲ−ＷＢ符号化データパケットのペイロードからの除去と、切り捨てられたビット数によるペイロード長の推定値の補償と、
を含む、請求項２９に記載の装置。
【請求項３３】
前記変換は、前記符号化データパケットのペイロード内のヘッダ内のＶＭＲ−ＷＢ固有フィールドの前記符号化データパケットのペイロード内のＡＭＲ−ＷＢ固有フィールドへの変換をさらに具備する請求項３２に記載の装置。
【請求項３４】
前記ヘッダ削減コンポーネントが、前記ヘッダの削減と、前記ヘッダの拡張と、前記変換とを実現するように構成されるヘッダ削減アルゴリズムを具備する請求項１８に記載の装置。
【請求項３５】
ヘッダ削減コンポーネントを用いて、第１のタイプの符号化をサポートしている第１の電子装置と第２の電子装置との間で交換されるデータパケットであって、前記第１のタイプの符号化によって符号化されたデータパケットに対して、前記第２の電子装置が前記第１のタイプの符号化をサポートしている場合、ヘッダの削減と拡張とをそれぞれ行う手段と、
前記第２の電子装置が第２のタイプの符号化をサポートしている場合、前記ヘッダ削減コンポーネントを変更して、前記第２のタイプの符号化によって符号化されたデータパケットであって、前記第２の電子装置から発信し、前記第１の電子装置に宛てたデータパケットを、前記第１のタイプの符号化によって符号化されたデータパケットへ変換し、前記第１のタイプの符号化によって符号化されたデータパケットであって、前記第１の電子装置から発信し、前記第２の電子装置に宛てたデータパケットを、前記第２のタイプの符号化によって符号化されたデータパケットに変換する手段と、を具備する装置。